(57)【要約】【課題】  画像出力装置間の出力色の明度及び彩度の調整を好適に行うことにより高精度の色合わせを実現する色調整方法を提供する。【解決手段】  演算制御部３１は、Ｌ＊ａ＊ｂ＊→ＸＹＺ変換部３４を用いて印刷機６のＣＭＹＫ→Ｌ＊ａ＊ｂ＊ ＬＵＴ３２１から得られるＬ＊ａ＊ｂ＊値をＸＹＺ値に変換し、このＬ＊ａ＊ｂ＊値のＬ値を変更して明度を調整し、この調整後のＬ値をＹ値に変換し、調整前に対応するＹ値と調整後に対応するＹ値との比率に応じて調整前のＸ値及びＺ値を調整し、調整されたＸ値、Ｙ値、Ｚ値をＬ＊ａ＊ｂ＊値に変換し、このＬ＊ａ＊ｂ＊値を用いて前記第２のカラープロファイル３５を作成する。【選択図】      図２
2005063168.tif 000002
【特許請求の範囲】
【請求項１】
第１及び第２の画像出力装置によりシアン（Ｃ）、マゼンタ（Ｍ）、イエロー（Ｙ）及びブラック（Ｋ）の４色の基本色の強度の値が各種組み合わされて出力されるカラーチャートを測定して得られる所定の表色系の値を基に、前記基本色の強度の値の組合せに対応する前記所定の表色系の値が格納された第１のルックアップテーブルと、前記所定の表色系の値に対応する前記基本色の強度の値の組合せが格納された第２のルックアップテーブルとを含む第１のカラープロファイルを、前記第１及び第２の画像出力装置のそれぞれについて作成し、
前記第１及び第２の画像出力装置の前記第１のカラープロファイルを基に、前記第１の画像出力装置の前記基本色の強度の値の組合せに対応する、前記第２の画像出力装置の前記基本色の強度の値の組合せが格納された第２のカラープロファイルを作成し、
前記第２のカラープロファイルを用いて前記第２の画像出力装置の出力色を前記第１の画像出力装置の出力色に合わせるように調整するための色調整方法において、
前記第１の画像出力装置の前記第１のルックアップテーブルから得られる前記所定の表色系の値によって表される明度を調整する明度調整段階と、
この明度調整段階の前記調整前及び前記調整後の前記明度の比率に応じて彩度を調整するように前記所定の表色系の値を変更する彩度調整段階と、
を含み、
前記明度調整段階と前記彩度調整段階とで調整された前記所定の表色系の値を基に、前記第２のカラープロファイルを作成することを特徴とする色調整方法。
【請求項２】
前記所定の表色系はＬ＊ａ＊ｂ＊表色系であり、
前記彩度調整段階は、
前記明度調整段階の前記調整前における前記Ｌ＊ａ＊ｂ＊表色系の値をＸＹＺ表色系の値に変換する段階と、
前記明度調整段階の前記調整後における前記Ｌ＊ａ＊ｂ＊表色系のＬ＊値を前記ＸＹＺ表色系のＹ値に変換する段階と、
前記彩度を調整するために、前記調整前に対応する前記ＸＹＺ表色系のＸ値及びＺ値を、前記調整前に対応する前記Ｙ値と前記調整後に対応する前記Ｙ値との比率に応じて変更する段階と、
当該変更された前記Ｘ値及び前記Ｚ値と、前記調整後に対応する前記Ｙ値とを前記Ｌ＊ａ＊ｂ＊表色系の値に変換する段階と、
を含むことを特徴とする請求項１記載の色調整方法。
【請求項３】
前記所定の表色系はＬ＊ａ＊ｂ＊表色系であり、
前記彩度調整段階は、
前記明度調整段階の前記調整前における前記Ｌ＊ａ＊ｂ＊表色系の値をＸＹＺ表色系の値に変換する段階と、
この変換により得られた前記調整前に対応する前記ＸＹＺ表色系の値をＲＧＢ表色系の値に変換する段階と、
前記明度調整段階の前記調整後における前記Ｌ＊ａ＊ｂ＊表色系のＬ＊値を前記ＸＹＺ表色系のＹ値に変換する段階と、
前記彩度を調整するために、前記調整前に対応する前記ＲＧＢ表色系の値を、前記調整前に対応する前記Ｙ値と前記調整後に対応する前記Ｙ値との比率に応じて変更する段階と、
当該変更された前記ＲＧＢ表色系の値を前記ＸＹＺ表色系の値に変換する段階と、
当該変換された前記ＸＹＺ表色系の値を前記Ｌ＊ａ＊ｂ＊表色系の値に変換する段階と、
を含むことを特徴とする請求項１記載の色調整方法。
【請求項４】
前記第１の画像出力装置と前記第２の画像出力装置とで使用される用紙の種類が異なっていることを特徴とする請求項１ないし請求項３のいずれか一項に記載の色調整方法。
【請求項５】
前記第１の画像出力装置は印刷機であり、前記第２の画像出力装置は前記印刷機で出力される印刷物の校正用カラープルーフを出力するための校正用カラープリンタであることを特徴とする請求項１ないし請求項４のいずれか一項に記載の色調整方法。
【請求項６】
請求項１ないし請求項５のいずれか一項に記載の色調整方法をコンピュータに実行させるプログラム。
【請求項７】
請求項６記載のプログラムを記録したコンピュータ読み取り可能な情報記録媒体。
【発明の詳細な説明】
【技術分野】
【０００１】
本発明は、複数の画像出力装置でそれぞれ出力される画像の色合わせを行うための色調整方法、その色調整方法をコンピュータに実行させるプログラム及びそのプログラムを記録したコンピュータ読み取り可能な情報記録媒体に関する。特に、印刷物のデジタルカラープルーフの色再現精度を向上を図るための印刷機と校正用カラープリンタとの間の色調整方法、その色調整方法をコンピュータに実行させるプログラム及びそのプログラムを記録したコンピュータ読み取り可能な情報記録媒体に関するものである。
【背景技術】
【０００２】
近年、印刷物を実際に印刷する前にその印刷物のデジタルカラープルーフを出力して校正作業を行うことが多くなってきている。このような校正作業を迅速かつ確実に行うためには、カラープルーフの色再現性を向上させる必要がある。つまり、カラープルーフの出力を行う校正用カラープリンタの出力色を印刷機の出力色に適正に合わせ込まなければ、印刷物の発色具合を正確に判断することが難しくなるからである。
【０００３】
校正用カラープリンタと印刷機との色合わせでは、基本色Ｃ（シアン）、Ｍ（マゼンタ）、Ｙ（イエロー）、Ｋ（ブラック）については好適な精度で色再現が可能であるが、Ｒ（レッド）、Ｇ（グリーン）、Ｂ（ブルー）等の２次色、ＣＭＹ３色やＣＭＹＫ４色からなる黒及びそれに近い色などについては、印刷機の出力色に高精度で合わせ込むことは困難であった。そこで、下記の特許文献１に開示されたようなデバイスカラープロファイルによるカラーマネージメントシステムを取り入れた手法を用いて色再現精度の向上が図られている。
【０００４】
この特許文献１に開示された色調整方法は次のようなものである。まず、当該文献の請求項１には、ＣＭＹＫの組合せに応じた（Ｌ＊ａ＊ｂ＊）表色系の値が格納されたＣＭＹＫ→Ｌ＊ａ＊ｂ＊ ＬＵＴと、表色系の値の組合せに応じたＣＭＹＫの値が格納されたＬ＊ａ＊ｂ＊→ＣＭＹＫ ＬＵＴとを含んでなるデバイスカラープロファイルを印刷機及び校正用カラープリンタのそれぞれについて作成し、これら２つのデバイスカラープロファイルを基に、印刷機におけるＣＭＹＫの組合せに応じた校正用カラープリンタにおけるＣＭＹＫの値を格納したデバイスリンクカラープロファイルを作成し、印刷機の色にあった出力を校正用カラープリンタで得ることができるようにデバイスリンクカラープロファイルにより画像データについてのＣＭＹＫの値を変換する色調整方法であって、デバイスリンクカラープロファイルを作成するときに、印刷機及び校正用カラープリンタのＣＭＹＫ→Ｌ＊ａ＊ｂ＊ ＬＵＴに基づいてＫの階調補正カーブを作成し、印刷機のＫ＝０におけるＣＭＹ３色の各組合せについての校正用カラープリンタのＫ＝０におけるＣＭＹ３色の組合せを求め、デバイスリンクカラープロファイルにおけるＣＭＹ３色の出力値を、印刷機のＫ＝０におけるＣＭＹ３色の各組合せについての校正用カラープリンタのＫ＝０におけるＣＭＹ３色の組合せから求めるとともに、Ｋの出力値を階調補正カーブにより変換して求めるよう構成された色調整方法が記載されている。なお、デバイスカラープロファイルは、ＣＭＹＫの全色空間に亘る多数の組合せを含むカラーパッチを印刷機や校正用カラープリンタで出力し、測色計により測定された各カラーパッチのＬ＊ａ＊ｂ＊値から求められる。
【０００５】
また、同請求項３には、デバイスリンクカラープロファイルを作成するときに、印刷機及び校正用カラープリンタのＣＭＹＫ→Ｌ＊ａ＊ｂ＊ ＬＵＴに基づいてＫの階調補正カーブを作成し、印刷機のＣＭＹＫ→Ｌ＊ａ＊ｂ＊ ＬＵＴと校正用カラープリンタのＬ＊ａ＊ｂ＊→ＣＭＹＫ ＬＵＴとを用いて、印刷機のＣＭＹＫの各組合せについての校正用カラープリンタのＣＭＹＫの初期値を求め、この初期値を変換して階調補正カーブにより補正したＫでの校正用カラープリンタのＣＭＹ３色の値を求め、このＣＭＹ３色の基本色の値と階調補正カーブにより補正して求めたＫの値とをデバイスリンクカラープロファイルの出力値とするよう構成された色調整方法が記載されている。
【０００６】
【特許文献１】特開２００２−３３０３０２号公報（明細書〔請求項〕、段落〔００２７〕）
【発明の開示】
【発明が解決しようとする課題】
【０００７】
ところが、上質紙等の散乱が大きな印刷用紙に出力される画像のカラープルーフの出力に上記のような色調整方法を用いる場合、カラープルーフに再現される色が実際の印刷物に比べて薄く出力されてしまうという問題があったため、明度を調整して色を濃く表現するための補正を加えていた。
【０００８】
このような補正処理を例えばＬ＊ａ＊ｂ＊表色系で行う場合、彩度を示すａ＊及びｂ＊の値を一定にした状態で明度値Ｌ＊を調整していたため、Ｌ＊の値が低くかつ彩度が高いブルーのような色については、彩度が高いまま濃く出力されてしまい、印刷物との色合わせを適正に行うことができなかった。
【０００９】
本発明は、以上のような事情に鑑みてなされたもので、出力色の明度に加えて彩度についても補正を行うことによって、複数の画像出力装置の色合わせを高い精度で行うことを可能とする色調整方法、その色調整方法をコンピュータに実行させるプログラム及びそのプログラムを記録したコンピュータ読み取り可能な情報記録媒体を提供することを目的とする。
【課題を解決するための手段】
【００１０】
上記目的を達成するために、請求項１に記載の発明は、第１及び第２の画像出力装置によりシアン（Ｃ）、マゼンタ（Ｍ）、イエロー（Ｙ）及びブラック（Ｋ）の４色の基本色の強度の値が各種組み合わされて出力されるカラーチャートを測定して得られる所定の表色系の値を基に、前記基本色の強度の値の組合せに対応する前記所定の表色系の値が格納された第１のルックアップテーブルと、前記所定の表色系の値に対応する前記基本色の強度の値の組合せが格納された第２のルックアップテーブルとを含む第１のカラープロファイルを、前記第１及び第２の画像出力装置のそれぞれについて作成し、前記第１及び第２の画像出力装置の前記第１のカラープロファイルを基に、前記第１の画像出力装置の前記基本色の強度の値の組合せに対応する、前記第２の画像出力装置の前記基本色の強度の値の組合せが格納された第２のカラープロファイルを作成し、前記第２のカラープロファイルを用いて前記第２の画像出力装置の出力色を前記第１の画像出力装置の出力色に合わせるように調整するための色調整方法において、前記第１の画像出力装置の前記第１のルックアップテーブルから得られる前記所定の表色系の値によって表される明度を調整する明度調整段階と、この明度調整段階の前記調整前及び前記調整後の前記明度の比率に応じて彩度を調整するように前記所定の表色系の値を変更する彩度調整段階と、を含み、前記明度調整段階と前記彩度調整段階とで調整された前記所定の表色系の値を基に、前記第２のカラープロファイルを作成することを特徴とする。
【００１１】
また、上記目的を達成するために、請求項２に記載の発明は、請求項１記載の色調整方法であって、前記所定の表色系はＬ＊ａ＊ｂ＊表色系であり、前記彩度調整段階は、前記明度調整段階の前記調整前における前記Ｌ＊ａ＊ｂ＊表色系の値をＸＹＺ表色系の値に変換する段階と、前記明度調整段階の前記調整後における前記Ｌ＊ａ＊ｂ＊表色系のＬ＊値を前記ＸＹＺ表色系のＹ値に変換する段階と、前記彩度を調整するために、前記調整前に対応する前記ＸＹＺ表色系のＸ値及びＺ値を、前記調整前に対応する前記Ｙ値と前記調整後に対応する前記Ｙ値との比率に応じて変更する段階と、当該変更された前記Ｘ値及び前記Ｚ値と、前記調整後に対応する前記Ｙ値とを前記Ｌ＊ａ＊ｂ＊表色系の値に変換する段階と、を含むことを特徴とする。
【００１２】
また、上記目的を達成するために、請求項３に記載の発明は、請求項１記載の色調整方法であって、前記所定の表色系はＬ＊ａ＊ｂ＊表色系であり、前記彩度調整段階は、前記明度調整段階の前記調整前における前記Ｌ＊ａ＊ｂ＊表色系の値をＸＹＺ表色系の値に変換する段階と、この変換により得られた前記調整前に対応する前記ＸＹＺ表色系の値をＲＧＢ表色系の値に変換する段階と、前記明度調整段階の前記調整後における前記Ｌ＊ａ＊ｂ＊表色系のＬ＊値を前記ＸＹＺ表色系のＹ値に変換する段階と、前記彩度を調整するために、前記調整前に対応する前記ＲＧＢ表色系の値を、前記調整前に対応する前記Ｙ値と前記調整後に対応する前記Ｙ値との比率に応じて変更する段階と、当該変更された前記ＲＧＢ表色系の値を前記ＸＹＺ表色系の値に変換する段階と、当該変換された前記ＸＹＺ表色系の値を前記Ｌ＊ａ＊ｂ＊表色系の値に変換する段階と、を含むことを特徴とする。
【００１３】
また、上記目的を達成するために、請求項４に記載の発明は、請求項１ないし請求項３のいずれか一項に記載の色調整方法であって、前記第１の画像出力装置と前記第２の画像出力装置とで使用される用紙の種類が異なっていることを特徴とする。
【００１４】
また、上記目的を達成するために、請求項５に記載の発明は、請求項１ないし請求項４のいずれか一項に記載の色調整方法であって、前記第１の画像出力装置は印刷機であり、前記第２の画像出力装置は前記印刷機で出力される印刷物の校正用カラープルーフを出力するための校正用カラープリンタであることを特徴とする。
【００１５】
また、上記目的を達成するために、請求項６に記載の発明は、請求項１ないし請求項５のいずれか一項に記載の色調整方法をコンピュータに実行させるプログラムである。
【００１６】
また、上記目的を達成するために、請求項７に記載の発明は、請求項６記載のプログラムを記録したコンピュータ読み取り可能な情報記録媒体である。
【発明の効果】
【００１７】
請求項１に記載の発明によれば、色調整に用いられる第２のカラープロファイルを作成するとき、出力色の明度の調整とともに、この明度の調整量に応じて彩度が調整されるので、複数の画像出力装置間の色調整を高精度で行うことができる。
【００１８】
また、請求項２及び請求項３に記載の発明によれば、カラーチャートを測定して得られた所定の表色系における値の調整処理を、明度及び彩度の調整に適した他の表色系の値に変換して行うことができる。更に、請求項３に記載の発明によれば、人間の眼による色の認識に対応する高精度の色合わせが可能となり、特にシャドー部の色再現精度を向上させることができる。
【００１９】
また、請求項４に記載の発明によれば、例えば散乱の大小など、用紙の種類の相違に起因して出力色が異なる場合においても明度及び彩度を調整して色合わせをすることができる。
【発明を実施するための最良の形態】
【００２０】
本発明に係る色調整方法の実施の形態の一例について図面を参照しながら詳細に説明する。以下、カラーチャートを測定して得られるＬ＊ａ＊ｂ＊表色系の値によって表される明度（Ｌ＊）及び彩度をＸＹＺ表色系で調整するための構成を備えた第１の実施の形態と、明度及び彩度をＲＧＢ表色系で調整するための構成を備えた第２の実施の形態とについてそれぞれ説明する。ここで、Ｌ＊ａ＊ｂ＊表色系は本発明にいう「所定の表色系」を示している。なお、「所定の表色系」はＬ＊ａ＊ｂ＊表色系に限定されるものではなく、各種の表色系を適宜用いることができる。
【００２１】
［第１の実施の形態］
本実施形態では、印刷機を色合わせの目標として校正用カラープリンタの出力色を調整する色調整方法を実行するための画像出力システムについて説明する。ここで、印刷機は、本発明にいう「第１の画像出力装置」の一例を示し、校正用カラープリンタは、「第２の画像出力装置」の一例を示している。
【００２２】
図５のフローチャートには、この画像出力システムによる処理の全体の流れの概略が示されている。まず、印刷機でカラーチャートを出力し（Ｓ０１ａ）、測色計でこのカラーチャートを測色してＬ＊ａ＊ｂ＊表色系の値（Ｌ＊、ａ＊、ｂ＊；Ｌ＊ａ＊ｂ＊値と呼ぶ）を求め（Ｓ０２ａ）、このＬ＊ａ＊ｂ＊値を基に印刷機のデバイスカラープロファイルを作成する（Ｓ０３ａ）。同様に、校正用カラープリンタでカラーチャートを出力し（Ｓ０１ｂ）、測色計でこのカラーチャートを測色してＬ＊ａ＊ｂ＊値を求め（Ｓ０２ｂ）、このＬ＊ａ＊ｂ＊値を基に校正用カラープリンタのデバイスカラープロファイルを作成する（Ｓ０３ｂ）。
【００２３】
次に、印刷機のデバイスカラープロファイルと校正用カラープリンタのデバイスカラープロファイルとからデバイスリンクカラープロファイルを作成し（Ｓ０４）、このデバイスリンクカラープロファイルを基に校正用カラープリンタでカラープルーフの出力を行う（Ｓ０５）。
【００２４】
本実施形態の色調整方法は、以上の処理中のデバイスリンクカラープロファイルの作成段階（Ｓ０４）において、再現色の明度及び彩度を適正に補正するための処理を行うことを特徴としている。なお、上記のデバイスカラープロファイル及びデバイスリンクカラープロファイルの詳細については後述することとする。
【００２５】
〔構成〕
図１は、本実施形態の色調整方法を実行するための画像出力システムの構成の一例を示すブロック図である。同図に示すように、当該画像出力システムは、印刷物の画像編集を行う上流端末である画像編集端末１Ａ〜１Ｃと、ＲＩＰ（Ｒａｓｔｅｒ Ｉｍａｇｅ Ｐｒｏｃｅｓｓｏｒ）２と、印刷物のカラープルーフを出力するための各種の画像変換処理を行うことが可能な画像変換装置３と、カラープルーフやカラーチャート１００を出力するための校正用カラープリンタ４とを含んで構成されている。画像編集端末１Ａ〜１Ｃ、ＲＩＰ２及び画像変換装置３は、ＬＡＮやインターネット等のネットワークＮを介してそれぞれ通信可能に接続されている。
【００２６】
この画像出力システムには、更に、ＲＩＰ２から送信されるデータを直接に刷版に結像して出力することが可能なＣＴＰ出力装置５が設けられている。このＣＴＰ出力装置５により出力された刷版Ｐを印刷機６に装着して印刷処理を行うことにより印刷物Ｆが出力される。また、印刷機６でもカラーチャート（同じく符号１００を用いる）を出力することができる。
【００２７】
また、校正用カラープリンタ４や印刷機６によって出力された出力物（特にカラーチャート１００、Ｆ）の色のＬ＊ａ＊ｂ＊表色系の値Ｌ＊、ａ＊、ｂ＊を測定することが可能な測色計７が設けられている。なお、図１に示す構成では、単独の測色計７が設けられているが、校正用カラープリンタ４や印刷機６に内蔵されていてもよい。また、測色計７による測定は、手動で行ってもよく（特に単独に設けられている場合など）、また自動的に行われるようにしてもよい（特に上記の内蔵されている場合など）。
【００２８】
〔画像編集端末の構成〕
画像編集端末１Ａ〜１Ｃは、ＤＴＰの手法を用いて、印刷物の画像データを複数の色版情報に分割して編集するためのアプリケーションソフトウェアがインストールされたコンピュータ端末からなり、コンピュータ本体、キーボード及びモニタ等に加えて、イメージスキャナ等の画像入力機器などを備えている（図示は省略する）。このような画像編集端末は、通常、複数台が設けられている（本実施形態では１Ａ〜１Ｃの３台設けられているが、もちろん１台のみの構成や所望の台数からなる構成としてよい）。各画像編集端末１Ａ〜１Ｃにより編集された画像データは、ネットワークＮを通じてＲＩＰ２に送信されるようになっているのが通常だが、ＲＩＰ２及び画像変換装置３の双方に送信されるようにしてもよい。
【００２９】
〔ＲＩＰの構成〕
ＲＩＰ２は、画像編集端末１Ａ〜１Ｃを用いて編集された印刷物の電子製版の基となる画像データをネットワークＮを通じて受信し、文字やイメージデータを走査しながらビットマップに変換を行うプロセッサとして機能するサーバ等から構成され、ラスタイメージフォーマットのＣ（シアン）、Ｍ（マゼンタ）、Ｙ（イエロー）及びＫ（ブラック）の各基本色の網点画像データを面順次に生成するようになっている。また、校正用カラープリンタで出力される画像の画像データを生成する場合には、網点化を行う前のＣＭＹＫの画像データを生成することができるようになっている。
【００３０】
〔画像変換装置の構成〕
画像変換装置３は、所定の動作プログラムが組み込まれた情報処理装置で、通常のようにコンピュータ本体、キーボード、モニタ等から構成されている。この画像変換装置３は、ＲＩＰ２が生成したＣＭＹＫの画像データをネットワークＮを介して取得し、校正用カラープリンタ４で出力するためにＣＭＹＫ値の色変換を行い、当該色変換の後に網点画像を作成するための構成を備えている。また、この画像変換装置３は、後述する本実施形態の色調整処理を実行するよう構成されている。
【００３１】
以下、図２及び図３を参照して、この画像変換装置３について詳しく説明する。ここで、図２は、画像変換装置３の機能的構成を説明するための機能ブロック図であり、図３は、このような動作を実行するための画像変換装置３のハードウェア構成を示すブロック図である。
【００３２】
（画像変換装置の機能的構成）
図２に示すように、画像変換装置３は、演算制御部３１と、印刷機６のデバイスカラープロファイル３２と、校正用カラープリンタ４のデバイスカラープロファイル３３と、Ｌ＊ａ＊ｂ＊／ＸＹＺ変換部３４と、デバイスリンクカラープロファイル３５と、測色計７による測定結果の入力処理を行う入力処理部３６と、デバイスリンクカラープロファイル３５によりＣＭＹＫの画像データを色変換して更に網点画像を作成するための処理を行う出力処理部３７とを含んで構成されている。
【００３３】
演算制御部３１は、各種の演算処理や装置各部の制御を行うもので、特に、デバイスカラープロファイル３２、３３の作成処理やデバイスリンクカラープロファイル３５の作成処理などを行う。
【００３４】
デバイスカラープロファイル３２は、印刷機６の色出力特性を定義した各種のルックアップテーブル（ＬＵＴと略称する）から構成されている。このデバイスカラープロファイル３２には、印刷機６による基本色Ｃ、Ｍ、Ｙ、Ｋの出力強度の各種の組合せに対応するＬ＊ａ＊ｂ＊値が格納されたＣＭＹＫ→Ｌ＊ａ＊ｂ＊ ＬＵＴ３２１と、各種のＬ＊ａ＊ｂ＊値に対応する印刷機６によるＣ、Ｍ、Ｙ、Ｋの出力強度の組合せが格納されたＬ＊ａ＊ｂ＊→ＣＭＹＫ ＬＵＴ３２２とが含まれている。
【００３５】
同様に、デバイスカラープロファイル３３には、校正用カラープリンタ４による基本色Ｃ、Ｍ、Ｙ、Ｋの出力強度の各種の組合せに対応するＬ＊ａ＊ｂ＊値が格納されたＣＭＹＫ→Ｌ＊ａ＊ｂ＊ ＬＵＴ３３１と、各種のＬ＊ａ＊ｂ＊値に対応する校正用カラープリンタ４によるＣ、Ｍ、Ｙ、Ｋの出力強度の組合せが格納されたＬ＊ａ＊ｂ＊→ＣＭＹＫ ＬＵＴ３３２とが含まれている。
【００３６】
ここで、デバイスカラープロファイル３２、３３は、本発明にいう第１のカラープロファイルである。また、ＣＭＹＫ→Ｌ＊ａ＊ｂ＊ ＬＵＴ３２１、３３１は第１のルックアップテーブルを示し、Ｌ＊ａ＊ｂ＊→ＣＭＹＫ ＬＵＴ３２２、３３２は第２のルックアップテーブルを示している。
【００３７】
ＣＭＹＫ→Ｌ＊ａ＊ｂ＊ ＬＵＴ３２１、３３１は、入力されたＣ、Ｍ、Ｙ、Ｋの値をＬ＊ａ＊ｂ＊値に変換するために用いられる。また、Ｌ＊ａ＊ｂ＊→ＣＭＹＫ ＬＵＴ３２２、３３２は、入力されたＬ＊ａ＊ｂ＊値をＣ、Ｍ、Ｙ、Ｋの値に変換するために用いられる。なお、Ｌ＊ａ＊ｂ＊表色系の全色空間において校正用カラープリンタ４や印刷機６によるＣＭＹＫ混色の色再現可能範囲は限られているため、Ｌ＊ａ＊ｂ＊の全色空間をＣＭＹＫの色再現可能範囲内に写像する方法を様々に変化させて得られる複数種類の写像方法をＬ＊ａ＊ｂ＊→ＣＭＹＫ ＬＵＴ３２２、３３２に格納し、入力デバイスの種類に応じて選択的に用いるよう構成されているのが一般的である。なお、これらＬＵＴの作成方法については後述する。
【００３８】
Ｌ＊ａ＊ｂ＊／ＸＹＺ変換部３４は、Ｌ＊ａ＊ｂ＊表色系の値をＸＹＺ表色系の値に変換する処理に用いられる変換式と、ＸＹＺ表色系の値をＬ＊ａ＊ｂ＊表色系の値に変換する処理に用いられる変換式とを格納している。このような変換処理は、演算制御部３１が当該変換式に数値を代入して演算を行うことにより実行される。以下に示す式１はＬ＊ａ＊ｂ＊表色系の値をＸＹＺ表色系の値に変換するための式を表し、式２はＸＹＺ表色系の値をＬ＊ａ＊ｂ＊表色系の値に変換するための式を表している。
【００３９】
（式１）
Ｙｄ＝（Ｌ＊＋１６）／１１６
Ｘｄ＝ａ＊／５００＋Ｙｄ
Ｚｄ＝Ｙｄ−ｂ＊／２００
Ｘ／Ｘ０＝Ｘｄ＾３                        （Ｘｄ＞＝０．２０６８９３）
＝（Ｘｄ−１６／１１６）／７．７８７（それ以外のとき）
Ｙ／Ｙ０＝Ｙｄ＾３                        （Ｙｄ＞＝０．２０６８９３）
＝（Ｙｄ−１６／１１６）／７．７８７（それ以外のとき）
Ｚ／Ｚ０＝Ｚｄ＾３                        （Ｚｄ＞＝０．２０６８９３）
＝（Ｚｄ−１６／１１６）／７．７８７（それ以外のとき）
【００４０】
（式２）
Ｘｄ＝（Ｘ／Ｘ０）＾（１／３）          （Ｘ／Ｘ０＞０．００８８５６）
＝（Ｘ／Ｘ０）×７．７８７＋１６／１１６  （それ以外のとき）
Ｙｄ＝（Ｙ／Ｙ０）＾（１／３）          （Ｙ／Ｙ０＞０．００８８５６）
＝（Ｙ／Ｙ０）×７．７８７＋１６／１１６  （それ以外のとき）
Ｚｄ＝（Ｚ／Ｚ０）＾（１／３）          （Ｚ／Ｚ０＞０．００８８５６）
＝（Ｚ／Ｚ０）×７．７８７＋１６／１１６  （それ以外のとき）
Ｌ＊＝Ｙｄ×１１６−１６
ａ＊＝５００×（Ｘｄ−Ｙｄ）
ｂ＊＝２００×（Ｙｄ−Ｚｄ）
【００４１】
デバイスリンクカラープロファイル３５は、デバイス間の出力色を合わせるためのＬＵＴで、印刷機６で出力される基本色Ｃ、Ｍ、Ｙ、Ｋ４色の組合せに対する校正用カラープリンタ４のＣ、Ｍ、Ｙ、Ｋ４色の組合せを格納している。このデバイスリンクカラープロファイル３５は、上記のデバイスカラープロファイル３２、３３を基に作成される（作成の詳細は後述する）。作成されたデバイスリンクカラープロファイル３５によりＣＭＹＫの画像データの色変換が行われてカラープルーフ出力時の色が調整される。なお、デバイスリンクカラープロファイル３５は、本発明にいう第２のカラープロファイルを示している。
【００４２】
入力処理部３６は、印刷機６や校正用カラープリンタ４で出力されたカラーチャートＦ、１００の測色計７による測定値（Ｌ＊ａ＊ｂ＊値）を入力するための処理を行う入力インターフェイスである。なお、この測定値の入力は、例えば、測色計７と画像変換装置３とを有線又は無線で接続して直接に行ってもよく、ユーザが測定値を手入力するようにしてもよい。また、所定の記録媒体に測定値を記録するための手段を測色計７に設け、この記憶媒体を介して入力するようにしてもよい。
【００４３】
出力処理部３７は、作成されたデバイスリンクカラープロファイル３５によりＣＭＹＫの画像データの色変換と網点化を行い、網点画像データを校正用カラープリンタ４に送信するための処理を行う。
【００４４】
（画像変換装置のハードウェア構成）
次に、以上のような機能的構成を有する画像変換装置３のハードウェア構成について、図３のブロック図を参照して説明する。
【００４５】
画像変換装置３は、所定のプログラムにしたがって演算処理や制御処理を実行するＣＰＵ３０１と、このＣＰＵ３０１によって実行されるプログラムや各種データ等を展開するメインメモリとしてのＲＡＭ３０２と、ＢＩＯＳ等のプログラムなどを保存するＲＯＭ３０３と、ＯＳ等の動作プログラムや各種データ、更にはアプリケーションソフトウェアなどを格納するハードディスクドライブ（ＨＤＤ）３０４と、情報記録媒体に記録されたデータを読み取り、またデータを書き込むための読取／書込装置３０５と、キーボードやマウス等の操作手段からの操作信号を入力処理する操作インターフェイス（操作ＩＦ）３０６と、各種データの入出力を司る入出力インターフェイス（入出力ＩＦ）３０７とを備えている。入出力ＩＦ３０７は、特に、測色計７による測定結果の入力処理を行う（図２を参照）。また、その他にも、モニタへ画像データを送出する表示用インターフェイスなどを備えている。
【００４６】
画像変換装置３は、ＲＯＭ３０３やＨＤＤ３０４に格納されたプログラムをＲＡＭ３０２にコピーし、ＣＰＵ３０１がＲＡＭ３０２にコピーされたプログラムを実行することによって本発明に係る機能を実現するようになっている。当該プログラムは、フロッピー（登録商標）ディスクやＣＤ−ＲＯＭ、ＤＶＤ−ＲＯＭ等の情報記録媒体にあらかじめ記録されており、これを読取／書込装置３０５を用いてインストールすることで、画像変換装置３上で動作されるようになっている。なお、インターネットやＬＡＮ等のネットワーク上のサーバ等からダウンロードして、このプログラムを使用するようにしてもよい。
【００４７】
ＣＰＵ３０１は、画像変換装置３の全体制御や各部の制御、更には演算処理を行うためのもので、ＲＡＭ３０２に展開される各種のプログラムとともに演算制御部３１を構成している。
【００４８】
ＨＤＤ３０４には、ＲＩＰ２からの網点画像データを一時的に格納して処理タイミングを調整するためのバッファとしての記憶領域や、デバイスカラープロファイル３２、３３及びデバイスリンクカラープロファイル３５を格納するための記憶領域、更には、Ｌ＊ａ＊ｂ＊／ＸＹＺ変換部３４の上記の式１及び式２を格納するための記憶領域が設定されている。なお、デバイスカラープロファイル３２、３３、デバイスリンクカラープロファイル３５、及びＬ＊ａ＊ｂ＊／ＸＹＺ変換部３４の式１、２については、ＲＯＭ３０３に記憶するよう構成することもできる。
【００４９】
読取／書込装置３０５としては、フロッピー（登録商標）ディスクに対する読取／書込を行うためのフロッピー（登録商標）ディスクドライブ（ＦＤＤ）や、ＣＤ−ＲＯＭ（及び／又はＤＶＤ−ＲＯＭ）に対する読取／書込を行うためのＣＤ（ＤＶＤ）−ＲＯＭドライブなど、その用途やシステム構成等に応じた装置を用いることができる。
【００５０】
入出力ＩＦ３０７は、図２中の入力処理部３６及び出力処理部３７として機能するとともに、ＲＩＰ２から送られるＣＭＹＫの画像データの入力処理などを行う。
【００５１】
〔校正用カラープリンタの構成〕
次に、印刷物の校正物としてのカラープルーフを出力する校正用カラープリンタ４について説明する。なお、ここで使用される校正用カラープリンタ４は公知の構成からなるため説明は簡単なものにとどめる。
【００５２】
校正用カラープリンタ４は、赤色（Ｒ）光により感光材料のマゼンタ発色層（Ｍ層）を感光させ、緑色（Ｇ）光により感光材料のシアン発色層（Ｃ層）を感光させ、青色（Ｂ）光により感光材料のイエロー発色層（Ｙ層）を感光させることによって露光処理を行うとともに、これに現像処理を施してカラー画像を形成するようになっている。このＲ、Ｇ、Ｂの光による露光処理は、点順次で画素毎に行われる。なお、感光材料としては、銀塩感光材料等が用いられるのが一般的である。
【００５３】
校正用カラープリンタ４は、画像変換装置３の出力処理部３７により送られる基本色Ｃ、Ｍ、Ｙ、Ｋ（及び特色）に分版された網点画像データを基にカラープルーフ１００を出力する。
【００５４】
〔デバイスカラープロファイルの作成方法〕
次に、印刷機６のデバイスカラープロファイル３２及び校正用カラープリンタ４のデバイスカラープロファイル３３の作成方法について説明する。これらの作成処理は、画像変換装置３の演算制御部３１により実行される。
【００５５】
（ＣＭＹＫ→Ｌ＊ａ＊ｂ＊ ＬＵＴの作成方法）
ＣＭＹＫ→Ｌ＊ａ＊ｂ＊ ＬＵＴ３２１、３３１は、ＣＭＹＫの全色空間に亘って４色を組合せて出力されるカラーパッチを多数配置したカラーチャートＦ、１００を測色計７で測定して求めた各カラーパッチのＬ＊ａ＊ｂ＊値を基に作成される。なお、ＣＭＹＫ→Ｌ＊ａ＊ｂ＊ ＬＵＴ３２１、３３１は同様の方法で作成されるので、ＣＭＹＫ→Ｌ＊ａ＊ｂ＊ ＬＵＴ３２１の作成方法の一例についてのみ説明する。
【００５６】
まず、各Ｃ、Ｍ、Ｙ、Ｋの最小値０〜最大値２５５の範囲を４等分して、０、６４、１２８、１９１、２５５の５段階を考慮し、Ｃ×Ｍ×Ｙ×Ｋ：５×５×５×５＝６２５の組合せの各カラーパッチを配置した図４に示すようなカラーチャートＦを印刷機６で出力する。次に、このカラーチャートＦの各カラーパッチを測色計７で順番に測定し、それぞれのＬ＊ａ＊ｂ＊値を求める。なお、以上は、図５のフローチャート中のＳ０１ａ及びＳ０２ａに示すプロセスである。
【００５７】
続いて、Ｃ、Ｍ、Ｙ、Ｋの組合せの個数を５×５×５×５から９×９×９×９に拡張する。そのために、各Ｃ、Ｍ、Ｙ、Ｋについて、０〜６４の間の値Ｐ１、６４〜１２８の間の値Ｐ２、１２８〜１９１の間の値Ｐ３、１９１〜２５５の間の値Ｐ４を取る。値Ｐ１ないしＰ４は、例えば各区間の中点とすることができる。更に、上記の６２５通りのカラーパッチを測定して求めたＬ＊ａ＊ｂ＊値から値Ｐ１ないしＰ４に対応するＬ＊ａ＊ｂ＊値を算出し、それぞれ５通りのＣ、Ｍ、Ｙ、Ｋの値を９通りに拡張する。これにより、Ｃ×Ｍ×Ｙ×Ｋ：９×９×９×９＝６５６１通りの入力点に対応するＬ＊ａ＊ｂ＊値を備えたＣＭＹＫ→Ｌ＊ａ＊ｂ＊ ＬＵＴ３２１が得られる。なお、値Ｐ１ないしＰ４に対応するＬ＊ａ＊ｂ＊値の具体的な算出方法については、例えば、本出願人による特開２００２−３３０３０２号公報に開示されている。
【００５８】
（Ｌ＊ａ＊ｂ＊→ＣＭＹＫ ＬＵＴの作成方法）
次に、Ｌ＊ａ＊ｂ＊→ＣＭＹＫ ＬＵＴ３２２、３３２の作成方法について説明する。ここでも、Ｌ＊ａ＊ｂ＊→ＣＭＹＫ ＬＵＴ３２２の作成方法についてのみ説明する。なお、当該作成方法は、本出願人による上記文献に詳細に開示されており、４段階の処理により構成されている。
【００５９】
まず、第１段階として、ＣＭＹＫ→Ｌ＊ａ＊ｂ＊ ＬＵＴ３２１のＣ×Ｍ×Ｙ×Ｋ：９×９×９×９に対応するＬ＊ａ＊ｂ＊値を、Ｃ×Ｍ×Ｙ：９×９×９に対応するＬ＊ａ＊ｂ＊値に変換する。即ち、４次元データを３次元データに変換する。これは、例えば、ＣＭＹの最小値からなるグレー成分を強調するために加えられるＫの値を求め、各Ｃ、Ｍ、Ｙの組合せにそのＫを加えた場合のＬ＊ａ＊ｂ＊値をＣ、Ｍ、Ｙの各組合せに対応するＬ＊ａ＊ｂ＊値として定義することによりなされる。
【００６０】
続いて、第２段階として、このＣ×Ｍ×Ｙ：９×９×９の３次元データを用いてＬ＊ａ＊ｂ＊→ＣＭＹＫ ＬＵＴ３２２を求める。そのために、Ｃ×Ｍ×Ｙ：９×９×９＝７２９の値を格子点とみなしてＣＭＹの３次元空間（ＣＭＹ空間と呼ぶ）を分割するとともに、このＣＭＹ空間をＬ＊ａ＊ｂ＊表色系の３次元空間に写像する。Ｌ＊ａ＊ｂ＊表色系の空間内に写像されたＣＭＹ空間の像をＣＭＹ空間像と呼ぶこととする。また、Ｃ×Ｍ×Ｙの格子点の上記写像による像を格子点像と呼ぶこととする。
【００６１】
ＣＭＹ空間像内に、（格子点像と一致しない）目標値Ｔ′を取る。目標値Ｔ′は、格子状に分割されたＣＭＹ空間像内の或る領域Ｒ′に存在する。領域Ｒ′は、８つの格子点像を頂点としている。このとき、目標値Ｔ′に対応するＣＭＹ空間の点Ｔは、当該８つの格子点像に対応する８つの格子点に囲まれた領域Ｒに存在すると推定される。点Ｔが領域Ｒのどこに位置するかは、ＣＭＹ空間とＬ＊ａ＊ｂ＊表色系の空間との対応関係に基づく収束演算処理によって求められる。この収束演算処理は、領域Ｒ及び領域Ｒ′を段階的に分割し、各段階における分割領域のうちどの分割領域に点Ｔ及び目標値Ｔ′が含まれているか判断することにより実行される。なお、このような収束演算処理に依存しなければならないのは、ＣＭＹ座標系からＬ＊ａ＊ｂ＊表色系の空間への変換式が既知であるのに対し、その逆の変換を表す適当な変換式が未だ知られていないためである。
【００６２】
Ｌ＊ａ＊ｂ＊表色系の空間の目標値Ｔ′がＣＭＹ空間像（即ち色再現範囲）の外に位置する場合には、この目標値Ｔ′を無彩色方向にＣＭＹ空間像の境界位置まで移動させ、この境界位置を色再現する目標値と定義する。これにより、厳密に再現することができない色を、その色に可能な限り近い色として出力することができる。
【００６３】
このような演算処理を行うことにより、Ｌ＊×ａ＊×ｂ＊：３３×３３×３３＝３５９３７通りのＬＵＴ入力点に対応するＣ、Ｍ、Ｙの値を求める。なお、Ｌ＊は０〜１００、ａ＊は−１２７〜１２８、ｂ＊は−１２７〜１２８の範囲において定義されている。
【００６４】
また、上述のような収束演算の他にも、本出願人による特許第２８９５０８６号の明細書に記載されているような補間方法を用いてもよい。
【００６５】
次に、第３段階として、第２段階で求めたＬ＊×ａ＊×ｂ＊：３３×３３×３３のＬＵＴ入力点に対応するＣ、Ｍ、Ｙの値を基にＫの値を計算する。
【００６６】
最後に、第４段階として、第２段階で求めたＬ＊×ａ＊×ｂ＊：３３×３３×３３のＬＵＴ入力点に対応するＣ、Ｍ、Ｙの値と、第３段階で求めたＫの値とを基に各入力点に対応するＣ、Ｍ、Ｙ、Ｋの値を求めてＬＵＴ化して、Ｌ＊ａ＊ｂ＊→ＣＭＹＫ ＬＵＴ３２２を作成する。
【００６７】
〔デバイスリンクカラープロファイルの構成及びその作成方法〕
以下、本実施形態の色調整方法により作成されるデバイスリンクカラープロファイル３５及びその作成方法について図６及び図７に示すフローチャートを参照して説明する。図６に示すフローチャートは、本実施形態によるデバイスリンクカラープロファイル３５の作成処理の全体の流れを示している。また、図７に示すフローチャートは、図６に示す作成処理の内、明度及び彩度の調整に関する処理の具体的な流れを示している。なお、図６及び図７のフローチャート中の各ステップに示す処理は、画像変換装置３の演算制御部３１によって実行される。
【００６８】
本実施形態のデバイスリンクカラープロファイル３５は、例えば、印刷機６の出力色に係るＣ×Ｍ×Ｙ×Ｋ：２１×２１×２１×２１＝１９４４８１通りの入力点に対応する校正用カラープリンタ４のＣ、Ｍ、Ｙ、Ｋの出力値が定義された４次元入力／４次元出力のＬＵＴとして構成される。
【００６９】
そのために、あらかじめ印刷機６のＣ、Ｍ、Ｙ、Ｋの範囲（各々０〜２５５）をそれぞれ２０等分し、各２１点を組み合わせてＣ×Ｍ×Ｙ×Ｋ：２１×２１×２１×２１＝１９４４８１通りの入力点を決定しておく。具体的には、Ｃ、Ｍ、Ｙ、Ｋそれぞれの入力点として、０、１２．７５、２５．５、３８．２５、５１、６３．７５、７６．５、８９．２５、１０２、１１４．７５、１２７．５、１４０．２５、１５３、１６５．７５、１７８．５、１９１．２５、２０４、２１６．７５、２２９．５、２４２．２５及び２５５が考慮される。
【００７０】
演算制御部３１は、印刷機６のデバイスカラープロファイル３２のＣＭＹＫ→Ｌ＊ａ＊ｂ＊ＬＵＴ３２１を用いて、上記１９４４８１通りのＣ、Ｍ、Ｙ、Ｋの組合せの一点についてＬ＊値、ａ＊値、ｂ＊値に変換する（Ｓ１１）。
【００７１】
次に、Ｓ１１の変換により得られた各値を適宜変更して、Ｌ＊値、ａ＊値、ｂ＊値によって表される明度及び彩度の調整を行う（Ｓ１２）。ここで、公知のように、Ｌ＊値を変更することは明度の調整に相当し、ａ＊値及びｂ＊値を変更することは彩度の調整に相当する。なお、明度及び彩度を調整する当該ステップは本発明に特徴的な部分であり、その具体的構成については図７を参照して後述する。
【００７２】
続いて、校正用カラープリンタ４のデバイスカラープロファイル３３のＬ＊ａ＊ｂ＊→ＣＭＹＫ ＬＵＴ３３２を用いて、明度及び彩度の調整処理が施されたＬ＊値、ａ＊値、ｂ＊値をＣ、Ｍ、Ｙ、Ｋの値に変換する（Ｓ１３）。これにより、印刷機６の出力に係る上記１９４４８１通りのＣ、Ｍ、Ｙ、Ｋの組合せの一点に対応する、校正用カラープリンタ４によるＣ、Ｍ、Ｙ、Ｋの組合せが決定される。
【００７３】
上記１９４４８１通りのＣ、Ｍ、Ｙ、Ｋの各組合せについてＳ１１〜Ｓ１３のプロセスを行って校正用カラープリンタ４のＣ、Ｍ、Ｙ、Ｋの値を求める。すべての演算結果をまとめてデバイスリンクカラープロファイル３５を作成する（Ｓ１４）。
【００７４】
次に、上記のＳ１２に示す明度及び彩度の調整処理について、図７のフローチャートを参照しながら説明する。
【００７５】
演算制御部３１は、Ｌ＊ａ＊ｂ＊／ＸＹＺ変換部３４の上記の式１を用いて、Ｓ１１で得られたＬ＊値、ａ＊値、ｂ＊値からＸＹＺ表色系の値Ｘ／Ｘ０、Ｙ／Ｙ０、Ｚ／Ｚ０を演算する（Ｓ２１）。
【００７６】
次に、演算制御手段３１は、明度を示すＬ＊値の調整を行う（Ｓ２２）。このＬ＊値の調整処理は、例えば、明度を調整するためにあらかじめ作成される明度補正カーブを用いて行われる。図８には、印刷用紙として上質紙を使用した場合の明度補正カーブの一例が示されている。この印刷用紙に出力される印刷物の最大明度（紙白；Ｃ＝Ｍ＝Ｙ＝Ｋ＝０％）のＬ＊ａ＊ｂ＊値はＬ＊＝９１．１、ａ＊＝０．１、ｂ＊＝０．５であり、最小明度（Ｃ＝Ｍ＝Ｙ＝Ｋ＝１００％）はＬ＊＝２７．４、ａ＊＝１．６、ｂ＊＝−０．１である。このとき、公知の方法により、明度Ｌ＊＝２７．４〜９１．１を含む範囲についての離散的な補正値を図８（Ｂ）に示す表のように定義する。図８（Ａ）に示す明度補正カーブは、図８（Ｂ）の表中のＬ＊入力値を横軸とし、Ｌ＊出力値を縦軸として、各座標値を結んで求められる連続的な曲線である。このように作成される明度補正カーブは、画像変換装置３のＲＯＭ３０３やＨＤＤ３０４に格納される。
【００７７】
Ｓ２２の明度の調整処理は、図６のフローチャートのＳ１１で得られたＬ＊ａ＊ｂ＊値のＬ＊値を入力値としたときの明度補正カーブのＬ＊出力値を求めることにより実行される。即ち、Ｓ１１で求められたＬ＊値を当該Ｌ＊出力値に変更することにより明度を調整する。
【００７８】
続いて、Ｓ２２で得られたＬ＊値に対応するＹの値を求める（Ｓ２３）。具体的には、式１の演算式Ｙｄ＝（Ｌ＊＋１６）／１１６を用いて当該Ｌ＊ａ＊ｂ＊値に対応するＹｄの値Ｙｄ２を計算するとともに、次式で示す値Ｙ２／Ｙ０を算出する。
【００７９】
（式３）
Ｙ２／Ｙ０＝（Ｙｄ２）＾３                （Ｙｄ２≧０．２０６８９３）
＝（Ｙｄ２−１６／１１６）／７．７８７    （それ以外のとき）
【００８０】
次に、明度の調整前のＬ＊値に対応するＹの値Ｙ／Ｙ０と、調整後のＬ＊値に対応するＹ２／Ｙ０とを用いて、Ｘの値（Ｘ／Ｘ０）及びＺの値（Ｚ／Ｚ０）の調整を行う（Ｓ２４）。調整後のＸの値をＸ２／Ｘ０とし、Ｚの値をＺ２／Ｚ０として、それぞれ次式のように定義する。
【００８１】
（式４）
Ｘ２／Ｘ０＝Ｘ／Ｘ０×｛（Ｙ２／Ｙ０）／（Ｙ／Ｙ０）｝
Ｚ２／Ｚ０＝Ｚ／Ｚ０×｛（Ｙ２／Ｙ０）／（Ｙ／Ｙ０）｝
【００８２】
更に、演算制御部３１は、Ｌ＊ａ＊ｂ＊／ＸＹＺ変換部３４に格納された上記の式２を用いて、Ｓ２３及びＳ２４で調整されたＸの値（Ｘ２／Ｘ０）、Ｙの値（Ｙ２／Ｙ０）、Ｚの値（Ｚ２／Ｚ０）をＬ＊ａ＊ｂ＊値に戻す（Ｓ２５）。そのためにまず、次式を用いてＸ２／Ｘ０、Ｙ２／Ｙ０、Ｚ２／Ｚ０からＸｄ′、Ｙｄ′、Ｚｄ′を求める。
【００８３】
（式５）
Ｘｄ′＝（Ｘ２／Ｘ０）＾（１／３）    （Ｘ２／Ｘ０＞０．００８８５６）
＝（Ｘ２／Ｘ０）×７．７８７＋１６／１１６    （それ以外のとき）
Ｙｄ′＝（Ｙ２／Ｙ０）＾（１／３）    （Ｙ２／Ｙ０＞０．００８８５６）
＝（Ｙ２／Ｙ０）×７．７８７＋１６／１１６    （それ以外のとき）
Ｚｄ′＝（Ｚ２／Ｚ０）＾（１／３）    （Ｚ２／Ｚ０＞０．００８８５６）
＝（Ｚ２／Ｚ０）×７．７８７＋１６／１１６    （それ以外のとき）
【００８４】
更に、このＸｄ′、Ｙｄ′、Ｚｄ′をＬ＊ａ＊ｂ＊／ＸＹＺ変換部３４の式２のＸｄ、Ｙｄ、Ｚｄにそれぞれ代入してＬ＊ａ＊ｂ＊値に変換する。これにより、明度及び彩度が調整されたＬ＊′、ａ＊′、ｂ＊′が得られる。そして、このＬ＊′、ａ＊′、ｂ＊′の値を校正用カラープリンタ４のＬ＊ａ＊ｂ＊→ＣＭＹＫ ＬＵＴ３３２を用いて変換してＣ、Ｍ、Ｙ、Ｋを求め（図６のＳ１３）、デバイスリンクカラープロファイル３５を作成する（同Ｓ１４）。
【００８５】
図７に示すプロセスにより得られるＬ＊′、ａ＊′、ｂ＊′を用いてデバイスリンクカラープロファイル３５を作成することにより、明度の調整量に応じて彩度を調整することが可能である。つまり、調整前の明度にのみ依存するＹ／Ｙ０と、調整後の明度（Ｌ＊′）にのみ依存するＹ２／Ｙ０との比率（Ｙ２／Ｙ０）／（Ｙ／Ｙ０）を彩度調整のための係数としてＸ２／Ｘ０及びＺ２／Ｚ０が算出され（式５参照）、これらを用いてａ＊′及びｂ＊′が算出されるため、彩度を決定するａ＊′及びｂ＊′は、明度（Ｌ＊値）の調整量と同様の比率で調整されることとなる。
【００８６】
したがって、本実施形態に示す色調整方法によれば、明度の調整を行うだけでなく、その調整量に応じて彩度の調整を行うことができるので、例えばＬ＊の値が低くかつ彩度が高いブルーのような色を再現する場合に、明度の調整量に応じて彩度を低く（つまり色を薄く）調整でき、校正用カラープリンタ４の出力色を印刷機６の出力色に高精度で合わせることが可能となる。
【００８７】
［第２の実施の形態］
次に、本発明に係る色調整方法の他の実施形態について説明する。上記した第１の実施形態では、デバイスリンクカラープロファイル３５を作成する際の明度及び彩度の調整をＸＹＺ表色系の値を用いて行うようになっている。一方、本実施形態では、この明度及び彩度の調整を別の表色系、具体的にはＲＧＢ表色系、の値を用いて行う。当該色調整方法は、第１の実施形態とほぼ同様の画像出力システムで実行することができる。
【００８８】
本実施形態の色調整方法を実行する画像出力システムの画像変換装置３は、図９のブロック図に示すようなＸＹＺ／ＲＧＢ変換部３８を更に備えている。このＸＹＺ／ＲＧＢ変換部３８は、ＸＹＺ表色系の値をＲＧＢ表色系の値に変換する処理に用いられる変換式と、ＲＧＢ表色系の値をＸＹＺ表色系の値に変換する処理に用いられる変換式とを格納している。このような変換処理は、演算制御部３１が当該変換式に数値を代入して演算を行うことにより実行される。以下に示す式６はＸＹＺ表色系の値をＲＧＢ表色系の値に変換するための式を表し、式７はＲＧＢ表色系の値をＸＹＺ表色系の値に変換するための式を表している。
【００８９】
（式６）
Ｒ＝（Ｘ／Ｘ０）×０．８９５１＋（Ｙ／Ｙ０）×０．２６６４
＋（Ｚ／Ｚ０）×（−０．１６１４）
Ｇ＝（Ｘ／Ｘ０）×（−０．７５０２）＋（Ｙ／Ｙ０）×１．７１３５
＋（Ｚ／Ｚ０）×０．０３６７
Ｂ＝（Ｘ／Ｘ０）×０．０３８９＋（Ｙ／Ｙ０）×（−０．０６８５）
＋（Ｚ／Ｚ０）×１．０２９６
【００９０】
（式７）
Ｘ／Ｘ０＝Ｒ×０．９８７＋Ｇ×（−０．１４７１）＋Ｂ×０．１６
Ｙ／Ｙ０＝Ｒ×０．４３２３＋Ｇ×０．５１８４＋Ｂ×０．０４９３
Ｚ／Ｚ０＝Ｒ×（−０．００８５）＋Ｇ×０．０４＋Ｂ×０．９６８５
【００９１】
以下、本実施形態の色調整方法による処理の一例について説明する。本実施形態におけるデバイスカラープロファイル３２、３３の作成方法は、第１の実施形態のそれを踏襲することとする。また、デバイスリンクカラープロファイル３５の作成方法についても、明度及び彩度の調整処理以外のプロセスについては第１の実施形態と同様に実行される。したがって、図５及び図６のフローチャートを適宜参照しながら、第１の実施形態との相違部分である明度及び彩度の調整処理について説明する。図１０は、本実施形態における明度及び彩度の調整処理の流れを示すフローチャートであり、第１の実施形態の図７に示すフローチャートに代えて実行される処理を示している。
【００９２】
まず、演算制御部３１は、Ｌ＊ａ＊ｂ＊／ＸＹＺ変換部３４に格納された上記式１を用いて、Ｓ１１で得られたＬ＊値、ａ＊値、ｂ＊値を変換してＸＹＺ表色系の値Ｘ／Ｘ０、Ｙ／Ｙ０、Ｚ／Ｚ０を演算する（Ｓ３１）。
【００９３】
更に、演算制御部３１は、ＸＹＺ／ＲＧＢ変換部３８に格納された上記の式６を用いてＸ／Ｘ０、Ｙ／Ｙ０、Ｚ／Ｚ０を変換して、ＲＧＢ表色系の値Ｒ、Ｇ、Ｂを求める（Ｓ３２）。
【００９４】
次に、演算制御手段３１は、Ｌ＊値（即ち明度）の調整を行う（Ｓ３３）。この明度の調整処理は、第１の実施形態のそれと同様に明度補正カーブを用いて実行される。
【００９５】
続いて、Ｓ３３で得られたＬ＊値に対応するＹの値を求める（Ｓ３４）。具体的には、第１の実施形態の場合と同様に、式１の演算式Ｙｄ＝（Ｌ＊＋１６）／１１６を用いて当該Ｌ＊ａ＊ｂ＊値に対応するＹｄの値Ｙｄ２を計算するとともに、式３の演算式に示す値Ｙ２／Ｙ０を算出する。
【００９６】
次に、明度の調整前のＬ＊値に対応するＹの値Ｙ／Ｙ０と、調整後のＬ＊値に対応するＹ２／Ｙ０とを用いて、Ｒ、Ｇ、Ｂの各値を同時に調整する（Ｓ３５）。調整後のＲ、Ｇ、Ｂの値をそれぞれＲ２、Ｇ２、Ｂ２と表し、それぞれ次式のように定義する。
【００９７】
（式８）
Ｒ２＝Ｒ×｛（Ｙ２／Ｙ０）／（Ｙ／Ｙ０）｝
Ｇ２＝Ｇ×｛（Ｙ２／Ｙ０）／（Ｙ／Ｙ０）｝
Ｂ２＝Ｂ×｛（Ｙ２／Ｙ０）／（Ｙ／Ｙ０）｝
【００９８】
続いて、演算制御部３１は、ＸＹＺ／ＲＧＢ変換部３８に格納された上記の式７を用いてＲ２、Ｇ２、Ｂ２をＸＹＺ表色系の値に変換する（Ｓ３６）。ＸＹＺ表色系に変換された値をそれぞれＸ３／Ｘ０、Ｙ３／Ｙ０、Ｚ３／Ｚ０と表す。
【００９９】
更に、演算制御部３１は、Ｌ＊ａ＊ｂ＊／ＸＹＺ変換部３４に格納された上記の式２を用いて、ＸＹＺ表色系の値Ｘ３／Ｘ０、Ｙ３／Ｙ０、Ｚ３／Ｚ０をＬ＊ａ＊ｂ＊値に戻す（Ｓ３７）。そのために、第１の実施形態の場合と同様に、次式のように、Ｘ３／Ｘ０、Ｙ３／Ｙ０、Ｚ３／Ｚ０をＸｄ′′、Ｙｄ′′、Ｚｄ′′に変換しておく。
【０１００】
（式９）
Ｘｄ′′＝（Ｘ３／Ｘ０）＾（１／３）  （Ｘ３／Ｘ０＞０．００８８５６）
＝（Ｘ３／Ｘ０）×７．７８７＋１６／１１６  （それ以外のとき）
Ｙｄ′′＝（Ｙ３／Ｙ０）＾（１／３）  （Ｙ３／Ｙ０＞０．００８８５６）
＝（Ｙ３／Ｙ０）×７．７８７＋１６／１１６  （それ以外のとき）
Ｚｄ′′＝（Ｚ３／Ｚ０）＾（１／３）  （Ｚ３／Ｚ０＞０．００８８５６）
＝（Ｚ３／Ｚ０）×７．７８７＋１６／１１６  （それ以外のとき）
【０１０１】
更に、このＸｄ′′、Ｙｄ′′、Ｚｄ′′をＬ＊ａ＊ｂ＊／ＸＹＺ変換部３４に格納された上記の式２のＸｄ、Ｙｄ、Ｚｄにそれぞれ代入してＬ＊ａ＊ｂ＊値に変換する。これにより、明度及び彩度が調整されたＬ＊′′、ａ＊′′、ｂ＊′′が得られる。そして、このＬ＊′′、ａ＊′′、ｂ＊′′の値を校正用カラープリンタ４のＬ＊ａ＊ｂ＊→ＣＭＹＫ ＬＵＴ３３２を用いて変換してＣ、Ｍ、Ｙ、Ｋを求め（図６のＳ１３）、デバイスリンクカラープロファイル３５を作成する（同Ｓ１４）。
【０１０２】
図１０に示すプロセスにより得られるＬ＊′′、ａ＊′′、ｂ＊′′を用いてデバイスリンクカラープロファイル３５を作成することにより、明度の調整量に応じて彩度を調整することが可能となる。つまり、調整前の明度にのみ依存するＹ／Ｙ０と、調整後の明度（Ｌ＊′）にのみ依存するＹ２／Ｙ０との比（Ｙ２／Ｙ０）／（Ｙ／Ｙ０）を係数としてＲＧＢ表色系の値を同時に調整してＲ２、Ｇ２及びＢ２を算出し、これらを変換してＬ＊′′、ａ＊′′及びｂ＊′′を求めるようになっているので、彩度を示すａ＊′及びｂ＊′は、明度（Ｌ＊値）の調整量と同様の比率で調整されるようになっている。
【０１０３】
したがって、第１の実施形態の場合と同様に、明度の調整に加えて、その調整量に応じて彩度の調整を行うことができ、校正用カラープリンタ４の出力色を印刷機６のそれに適正に合わせることが可能となる。
【０１０４】
更に、本実施形態では人間の眼の感度に対応するＲＧＢ表色系において明度及び彩度の調整が行われるので、人間が認識する色に合った高精度の色合わせを行うことができる。
【０１０５】
なお、図９に示すようにＬ＊ａ＊ｂ＊／ＸＹＺ変換部３４とＸＹＺ／ＲＧＢ変換部３８とを含んで構成する場合、デバイスリンクカラープロファイル３５を作成する際の明度及び彩度の調整を、第１の実施形態のようにＸＹＺ表色系において行うか、又は本実施形態のようにＲＧＢ表色系において行うかを切り換えられるように構成してもよい。
【０１０６】
本発明の色調整方法は、上述の各実施形態のように異なる種類の用紙を用いた画像出力装置間の色合わせに好適に使用することができる。上記実施形態では、例えば散乱が強く作用する上質紙等の印刷用紙への出力色と、カラープルーフが出力される銀塩感光材料等の用紙への出力色との相違を調整することができる。特に、ブルーのようにＬ＊値（明度）が低く彩度が高い色を校正用カラープリンタで出力する場合、Ｌ＊値の調整量に応じてａ＊値及びｂ＊値を調整することができるので、印刷物の色をより忠実に再現することが可能となる。
【０１０７】
第１及び第２の実施形態として説明したような本発明の色調整方法は、コンピュータ、特に実施形態中の画像変換装置、により実行可能なプログラムに則って行われる。このプログラムは、上記コンピュータによって読み取り可能な情報記録媒体に記録されている。このような情報記録媒体としては上記コンピュータの形態に基づき任意のものを使用することができる。例えば、ＣＤ−ＲＯＭ、フロッピー（登録商標）ディスク等の持ち運び可能なものや、ＲＯＭ、ＨＤＤ等の上記コンピュータに搭載されたものなど、当該プログラムを記録可能なあらゆるタイプの情報記録媒体が含まれている。
【０１０８】
以上詳述した構成は、本発明を実施するための一形態に過ぎないものであり、本発明の範囲内における構成の変形や変更、追加等を適宜施すことができる。例えば、印刷機と校正用カラープリンタとの間の色合わせだけでなく、任意の複数の画像出力装置の出力色を合わせる色調整に本発明を適用することができる。
【図面の簡単な説明】
【０１０９】
【図１】本発明に係る色調整方法の第１の実施の形態を実行するための画像出力システムの概略構成の一例を示すブロック図である。
【図２】本発明に係る色調整方法の第１の実施の形態を実行するための画像出力システムに含まれる画像変換装置の概略構成の一例を示す機能ブロック図である。
【図３】本発明に係る色調整方法の第１の実施の形態を実行するための画像出力システムに含まれる画像変換装置のハードウェア構成の一例を示すブロック図である。
【図４】本発明に係る色調整方法の第１の実施の形態を実行するための画像出力システムで用いられるカラーチャートの概略構成の一例を示す図である。
【図５】本発明に係る色調整方法の第１の実施の形態により実行される処理の一例を示すフローチャートである。
【図６】本発明に係る色調整方法の第１の実施の形態により実行される処理の一例を示すフローチャートである。
【図７】本発明に係る色調整方法の第１の実施の形態により実行される処理の一例を示すフローチャートである。
【図８】本発明に係る色調整方法の第１の実施の形態で用いられる明度補正カーブの一例について説明するための図表である。図８（Ａ）は、この明度補正カーブの一例を示し、図８（Ｂ）は、この明度補正カーブを作成するためのＬ＊入力値とＬ＊出力値との関係を示す表である。
【図９】本発明に係る色調整方法の第２の実施の形態を実行するための画像出力システムに含まれる画像変換装置の概略構成の一例を示す機能ブロック図である。
【図１０】本発明に係る色調整方法の第２の実施の形態により実行される処理の一例を示すフローチャートである。
【符号の説明】
【０１１０】
１Ａ、１Ｂ、１Ｃ  画像編集端末
２  ＲＩＰ（Ｒａｓｔｅｒ Ｉｍａｇｅ Ｐｒｏｃｅｓｓｏｒ）
３  画像変換装置
３１  演算制御部
３２  印刷機のデバイスカラープロファイル（第１のカラープロファイル）
３２１  ＣＭＹＫ→Ｌ＊ａ＊ｂ＊ ＬＵＴ（第１のルックアップテーブル）
３２２  Ｌ＊ａ＊ｂ＊→ＣＭＹＫ ＬＵＴ（第２のルックアップテーブル）
３３  校正用カラープリンタのデバイスカラープロファイル（第１のカラープ
ロファイル）
３３１  ＣＭＹＫ→Ｌ＊ａ＊ｂ＊ ＬＵＴ（第１のルックアップテーブル）
３３２  Ｌ＊ａ＊ｂ＊→ＣＭＹＫ ＬＵＴ（第２のルックアップテーブル）
３４  Ｌ＊ａ＊ｂ＊／ＸＹＺ変換部
３５  デバイスリンクカラープロファイル（第２のカラープロファイル）
３８  ＸＹＺ／ＲＧＢ変換部
４  校正用カラープリンタ（第２の画像出力装置）
１００  カラープルーフ／カラーチャート
５  ＣＴＰ出力装置
６  印刷機（第１の画像出力装置）
Ｆ  印刷物／カラーチャート
７  測色計
【図１】
2005063168.tif 000003
【図２】
2005063168.tif 000004
【図３】
2005063168.tif 000005
【図４】
2005063168.tif 000006
【図５】
2005063168.tif 000007
【図６】
2005063168.tif 000008
【図７】
2005063168.tif 000009
【図８】
2005063168.tif 000010
【図９】
2005063168.tif 000011
【図１０】
2005063168.tif 000012